(57)【特許請求の範囲】
【請求項１】
前身頃部と後身頃部とからなる使い捨ておむつであって、
前記後身頃部の長手方向両側部には、一対の伸縮性パネル部が設けられており、
一対の前記伸縮性パネル部それぞれの先端部には、パネル止着部が設けられており、
一対の該伸縮性パネル部それぞれは、少なくとも下縁部に沿った部分に弾性を有しており、該下縁部は、前記前身頃部側から前記後身頃部側の端部に向って凸に湾曲した形状を有しており、
一対の前記伸縮性パネル部は、装着時にそれぞれの前記下縁部が着用者の側部から下腹部にかけての脚の付け根のラインに沿うように、伸張されて、前記パネル止着部を介して、前記前身頃部の腹部膨張部分を下側から上へ支える様にして固定されるようになされており、
一対の前記伸縮性パネル部それぞれには、前記前身頃部の上半部と止着するための補助パネル止着部が設けられており、該補助パネル止着部は、該伸縮性パネル部の上縁部に、斜め外方に向かって接合されている使い捨ておむつ。
【請求項２】
前記補助パネル止着部は、前記使い捨ておむつの使用前までは、前記伸縮性パネル部の不織布の部分に折り返されて固定されている請求項１記載の使い捨ておむつ。
【請求項３】
前記前身頃部の下半部には、前記パネル止着部を止着するためのターゲット部が設けられている請求項１又は２記載の使い捨ておむつ。
【請求項４】
前記ターゲット部は、前記前身頃部の他の部分とは識別しやすい色に着色されている請求項３記載の使い捨ておむつ。
【請求項５】
表面シート、裏面シート及び両シート間に介在された吸収体を含む吸収性本体を具備しており、前記前身頃部の長手方向両側部には、一対のサイドパネル部が設けられており、
一対の前記サイドパネル部それぞれは、少なくとも下縁部に沿った部分に弾性部を有しており、
前記弾性部は、前記吸収性本体の長手方向側縁からおむつ幅方向内方に延出し、前記吸収体の長手方向側部と重なっている請求項１〜４の何れかに記載の使い捨ておむつ。
【請求項６】
前記前身頃部の長手方向両側部には、一対の伸縮バンド部が設けられており、
一対の前記伸縮バンド部それぞれは、前記おむつ幅方向に伸縮性を有し、一対の該伸縮バンド部それぞれの先端部には、前記後身頃部と止着するためのバンド止着部が設けられている請求項１〜５の何れかに記載の使い捨ておむつ。
【発明の詳細な説明】
【技術分野】
【０００１】
本発明は、使い捨ておむつ、特に止着部を有する展開型の使い捨ておむつに関する。
【背景技術】
【０００２】
一般の従来の展開型の使い捨ておむつは、おむつ着用中に、ウエスト部が着用者の腹部からズレ落ちる場合がある。この種の展開型の使い捨ておむつは、前身頃部と後身頃部とを有し、おむつ着用時には、後身頃部の長手方向の両側部に設けられた一対の止着部が、着用者の臍近傍の胴回りにおいて、前身頃部に止着されて着用するようになっている。また、展開型の使い捨ておむつは、そのウエスト部に伸縮性を有している。特に、乳幼児がこの種のおむつを着用した場合に、腹部膨張部分よりも下へとずれる。一般に、乳幼児の胴部は、臍近傍から脚の付け根に向って窄まるテーパー形状を有している。そのため、例えば、幼児が食事をした後又は姿勢を変える等の動きにより、伸縮性を有するウエスト部は、そのウエスト部の周囲長を縮めようとして、下腹部側へとズレ落ちる。幼児の臍近傍の腹部がおむつから露出する傾向にある。
【０００３】
また、おむつ着用中に、おむつが腹部からズレ落ちないように工夫されている使い捨ておむつが知られている。
例えば、特許文献１には、前身頃部と後身頃部とからなる展開型の使い捨ておむつであって、後身頃部の長手方向両側部には、一対の弾性サイドパネル部が設けられており、弾性サイドパネル部の先端部には止着部が設けられており、一対の止着部は、着用者の横方向に対して一定角度で配向するように形成されており、前身頃部には、一対の止着部が止着されるランディング部材が備えられており、一対の止着部は、おむつの横方向に対して、ちょうど、脇から下腹を下から上へ支える様にして固定する位置に、一定角度を有して、ランディング部材に固着されるようになされている使い捨ておむつが開示されている。特許文献１に記載の使い捨ておむつでは、一対の止着部が、おむつの横方向に対して一定角度で、おむつ全体を通して、着用者の実質的に低運動区域において主引張線を生じるように、ランディング部材に固着されるので、使い捨ておむつの着用中のフィット性が維持されて、ズレ落ちないように工夫されている。
【０００４】
【特許文献１】特表平８−５１０９４１号公報
【発明の開示】
【発明が解決しようとする課題】
【０００５】
しかし特許文献１記載の使い捨ておむつは、弾性サイドパネル部の下縁部が、着用者の脚の付け根のラインに沿っているとは考えられず、おむつ着用中にウエスト部が腹部からズレ落ちるのを防止するのに十分ではなく、したがってモレ防止にも十分ではない。
【０００６】
従って、本発明の目的は、着用者の腹部上方を覆うと共に、おむつ着用中にウエスト部が腹部上方からズレ落ちるのを十分に防止し、モレを防ぐ使い捨ておむつを提供することにある。
【課題を解決するための手段】
【０００７】
本発明は、前身頃部と後身頃部とからなる使い捨ておむつであって、該後身頃部の長手方向両側部には、一対の伸縮性パネル部が設けられており、一対の該伸縮性パネル部それぞれの先端部には、パネル止着部が設けられており、一対の該伸縮性パネル部それぞれは、少なくとも下縁部に沿った部分に弾性を有しており、該下縁部は、前記前身頃部側から前記後身頃部側の端部に向って凸に湾曲した形状を有しており、一対の前記伸縮性パネル部は、装着時にそれぞれの前記下縁部が着用者の側部から下腹部にかけての脚の付け根のラインに沿うように、伸張されて、前記パネル止着部を介して、前記前身頃部の腹部膨張部分を下側から上へ支える様にして固定されるようになされている使い捨ておむつを提供することにより、上記目的を達成したものである。
【０００８】
また、本発明は、表面シート、裏面シート及び両シート間に介在された吸収体を含む吸収性本体を具備し、その長手方向が前身頃部と後身頃部とに区分される使い捨ておむつであって、該前身頃部の長手方向両側部には、一対のサイドパネル部が設けられており、一対の前記サイドパネル部それぞれは、少なくとも下縁部に沿った部分に弾性部を有しており、該弾性部は、前記吸収性本体の長手方向側縁からおむつ幅方向内方に延出し、前記吸収体の長手方向側部と重なっている使い捨ておむつを提供することにより、上記目的を達成したものである。
【発明の効果】
【０００９】
本発明の使い捨ておむつによれば、おむつ着用中にウエスト部が腹部上方からズレ落ちない。
【発明を実施するための最良の形態】
【００１０】
以下、本発明の使い捨ておむつの好ましい第１実施形態について、図１〜３を参照しながら説明する。
【００１１】
本実施形態の使い捨ておむつ１は展開型の使い捨ておむつ（以下、おむつともいう）であり、図１に示すように、前身頃部Ａと後身頃部Ｂとからなり、実質的に縦長である。
また、本実施形態のおむつ１において、後身頃部Ｂの長手方向両側部には、一対の伸縮性パネル部８，８が設けられており、一対の伸縮性パネル部８，８それぞれの先端部には、パネル止着部８１が設けられている。パネル止着部８１は、機械的面ファスナーやファスニングテープを用いることができる。一対の伸縮性パネル部８，８それぞれは、少なくとも下縁部８２に沿った部分に弾性を有しており、下縁部８２は、図１及び図３に示すように、前身頃部Ａ側から後身頃部Ｂ側の端部１１に向って凸に湾曲した形状を有しており、一対の伸縮性パネル部８，８は、図２（ａ）及び（ｂ）に示すように、装着時にそれぞれの下縁部８２が着用者の側部から下腹部にかけての脚の付け根のラインに沿うように、伸張されて、パネル止着部８１を介して、前身頃部Ａの腹部膨張部分を下側から上へ支える様にして固定されるようになされている。
【００１２】
本実施形態のおむつ１について詳述すると、おむつ１は、その長手方向が、着用時に着用者の腹側に配される前身頃部Ａと、背側に配される後身頃部Ｂとに２等分に区分される。前身頃部Ａは、更に、着用者の腹部下方（下腹部）を配される下半部Ａ１と、腹部上方（臍近傍）に配される上半部Ａ２とに２等分される。
また、おむつ１の長手方向両端部であるウエスト部Ｃ、Ｃは、おむつ着用時にウエスト開口部を形成する。
本実施形態のおむつ１の寸法は、乳幼児から大人まで、おむつ着用者の体型に合わせて適宜調製して作製されることが好ましい。その際、前身頃部Ａのウエスト部Ｃは、着用者の腹部上方、具体的には臍（へそ）近傍を覆うように、おむつ１の寸法を設計することが好ましい。
【００１３】
本明細書において、おむつ着用者の脚の付け根は、着用者の胴部と一対の大腿部それぞれとの境界に位置する、閉じた環状の形状を有しており、胴部と大腿部との間で括れている体の部位である。また、おむつ着用者を、腹側の正面又は背側の正面から見た場合、脚の付け根は、図２（ａ）に示すように、着用者の両側部において、括れた部分を形成している。
脚の付け根の括れの程度は、大人よりは乳幼児において顕著であり、また痩せた体型の人よりも太った体型の人において顕著な傾向にある。
【００１４】
前身頃部Ａの前記腹部膨張部分は、通常、着用者の腹部の膨らみにより該前身頃部Ａが外方へ凸状になっている部分であり、前身頃部Ａにおける上半部Ａ２の部分である。特に、乳幼児の胴部は、臍近傍から脚の付け根に向って窄まるテーパー形状を有しており、着用中における前身頃部Ａの前記腹部膨張部分は、この胴部の腹側を覆っているため、外方に膨張した形状を有している。尚、比較的痩せた体型を有する乳幼児又は成人が、おむつ１を着用した際には、前身頃部Ａの前記腹部膨張部分は、外方に膨張した形状を有さない場合もある。
【００１５】
おむつ１は、液透過性の表面シート２、液不透過性の裏面シート３及び該両シート間に介在された液保持性の吸収体４を含む吸収性本体５が、図１に示すように、おむつ１の長手方向の端部間に亘って配されている。
吸収性本体５は、図１に示すように、縦長矩形形状であり、その長手方向がおむつ１の長手方向と一致している。表面シート２、裏面シート３及び吸収体４も、同様に、縦長矩形形状であり、その長手方向がおむつ１の長手方向と一致している。
【００１６】
裏面シート３の非肌当接面側の面には、不織布からなる外包材１０が接合されている。外包材１０は、裏面シート３と略同形である。
一対の伸縮性パネル部８，８それぞれは、おむつ幅方向内方の部分が、後身頃部Ｂの長手方向の側縁から、おむつ幅方向内方に延出し、外包材１０と裏面シート３との間に挟まれて接合されている。
【００１７】
本実施形態のおむつ１における伸縮性パネル部８について、更に説明すると、伸縮性パネル部８は、図１に示すように、その下縁部８２が、おむつ幅方向外方に向かうにつれて、前身頃部Ａから後身頃部Ｂ側の端部１１に近づき、湾曲の頂部８２Ａを経て、後身頃部Ｂ側の端部１１から前身頃部Ａに近づく形状を有している。
伸縮性パネル部８の上縁部８４は、おむつ幅方向外方に向って延び、おむつ幅方向における湾曲の頂部８２Ａと略同じ位置で屈曲し、下縁部８２と略平行に延びている。
【００１８】
下縁部８２は、図３に示すように、おむつ着用者の脚の付け根のラインに沿った湾曲した形状を有している。仮に、下縁部８２が脚の付け根のラインよりも下方に延び、大腿部側の部分を覆う形状を有していると、脚が動くことが直接伸縮性パネル部８に伝わるので、伸縮性パネル部８がずれたり、ヨレたりする原因となり得る。一方、下縁部８２が、脚の付け根のラインよりも上方に位置する胴部の部分までしか覆っていない形状を有していると、括れ部分である脚の付け根に向って、下縁部８２が移動するため、ウエスト部Ｃのズレ落ちの原因となり得る。
本実施形態のおむつ１において、下縁部８２は、脚の付け根のラインにちょうど沿う形状を有しているので、前述したような不具合が生じないようになされている。
【００１９】
本実施形態のおむつ１は、着用者が乳幼児の場合に、特にウエスト部Ｃのズレ落ち防止性が効果的に発揮される。そこで、乳幼児用おむつにおける伸縮性パネル部８の寸法について、図３を用いて詳述する。
伸縮性パネル部８の先端部の幅Ｌ１は、30〜45ｍｍであることが、ファスニングテープ等の止着部８１の固定状態での安定性や、止着部８１をおむつにあてる際に母親が扱い易いなどの操作性の観点から好ましい。
【００２０】
下縁部８２の湾曲の頂部８２Ａから先端部までの長さＬ２は、20〜40ｍｍであることが好ましい。長さＬ２が好ましい範囲の場合は、脚の付け根のラインに関する連動性を良くし、ズレ落ちを抑えることができる。また、止着部８１を腹側の膨張部分に固定することができ取り扱いやすい。
【００２１】
上縁部８４の下縁部８２と略平行な部分の長さＬ３は、40〜60ｍであること好ましく、44〜56ｍｍであることがより好ましく、48〜52ｍｍであることが最も好ましい。長さＬ３が好ましい範囲の場合は、止着部81を重ねずに固定することができ操作しやすい。また、ファスニングテープなどの止着部81を前側に固定する際に伸縮パネル部８にたわみやめくれを生じさせることなく固定することができ、お腹の膨張部分を下から支えこむ状態で固定できる。
【００２２】
上縁部８４における後身頃部Ｂの端部１１側の部分の長さＬ４は、35〜47ｍｍであることが好ましく、39〜45ｍｍであることがより好ましい。長さＬ４が好ましい範囲の場合は、止着部８１を最適な固定位置に届けることができ、腹部の下側を支え込むことができる。また、上限値を上回ると、装着時に十分に伸長させることができなくなり、腹部にあたる応力が弱くなる。
【００２３】
伸縮性パネル部８が後身頃部Ｂの長手方向側部と接合している部分の長さＬ５は、120〜140ｍｍであることが好ましい。長さＬ５が好ましい範囲の場合は、排尿を吸収し重くなったおむつの重量を支えることができる。また、ファスニングテープ等の止着部８１が太ももを覆うことがなく、そけい部から太ももまでの脚の付け根部に不必要な布が集まることがなくなるので、洋服を着るときなどに邪魔にならない。
【００２４】
また、長さＬ３の部分と長さＬ４の部分とのなす内角αは、160〜175度であることが、伸縮性パネル部８を十分に伸長することができ、お腹の膨張部に止め易くなる上で好ましい。下縁部８２が後身頃部Ｂの長手方向側部となす内角βは、25〜30度であることが、そけい部に十分な張力を働かさせることができ、脇からお尻にかけて十分に覆う上で好ましい。
【００２５】
長さＬ２の部分を伸縮性パネル部８内方に延長した直線と、下縁部８２と後身頃部Ｂの長手方向側部との交点から内角βで伸縮性パネル部８内方に延ばした直線とが交わってなす内角γは、40〜90度であることが好ましく、50〜80度であることがより好ましく、60〜70度であることが最も好ましい。
【００２６】
長さＬ４の部分を形成する直線と長さＬ５の部分を形成する直線とが交わってなす内角δは、85〜100度であることが好ましく、下縁部８２をそけい部に沿わせて止着部８１を固定させた際に、伸縮パネル部が伸長する余裕を持たせることができる。また、装着時に伸長させて固定させることができる。  上縁部８４の下縁部８２と略平行な部分の先端部分と、後身頃部Ｂの端部１１における伸縮パネルの付け根とをつなぐＬ６は、70〜100ｍｍであることが好ましく、77〜95ｍｍであることがより好ましく、85〜90ｍｍであることが最も好ましい。
【００２７】
本明細書において、内角は、２つの直線が交わってなす角度のうち、小さい方の角度をいう。また、長さを測定する際、場所の端が丸くなっている場合は、それぞれの辺を延長して交わった部分で測定するものとする。
【００２８】
一対の伸縮性パネル部８、８それぞれは、一方向に伸縮性を有する樹脂フィルムを、伸張した状態において、同形状の不織布で挟んで接合して形成された複合部材である。該複合部材は、その伸縮方向をおむつ幅方向と一致させて、上縁部８４を後身頃部Ｂ側の端部１１と揃えて、後身頃部Ｂの長手方向両側部に接合されており、伸縮性パネル部８は、その全体におむつ幅方向の伸縮性を有している。
【００２９】
一対の伸縮性パネル部８、８それぞれは、おむつ着用時には、図２（ａ）及び（ｂ）に示すように、それぞれの下縁部８２が着用者の側部から腹部下方（下腹部）にかけての脚の付け根のラインに沿うように、斜め下方に向け伸張される。伸縮性パネル部８は、おむつ幅方向に伸縮性を有し、前述したような形状を有しているので、上縁部８４の長さＬ３（図３参照）の部分と略平行な方向にも、伸縮性パネル部８全体として、優れた伸張性を有している。
【００３０】
伸縮性パネル部８は、伸度30％時の荷重値は、1.5Ｎ/25ｍｍ以下が好ましく、1.0Ｎ/25ｍｍ以下がより好ましい。同様に伸度50％時の荷重値は、1.0〜3.0Ｎ/25ｍｍが好ましく、1.0〜2.0Ｎ/25ｍｍがより好ましい。このように、伸縮性パネル部８は、軽く引っ張っても良く伸びるので、その先端部にパネル止着部８１を有する伸縮性パネル部８は、止着し易く、操作性に優れている。
【００３１】
前述した伸度は以下の方法で測定した。通りである。伸縮性パネル部８を、その伸縮性を有する方向に65ｍｍ以上、該方向と直行する方向に25ｍｍ切り出し、測定片を作成する。これをその伸縮性を有する方向が引っ張り方向となるように、引張試験機のチャックに取り付ける。チャック間距離は50ｍｍとする。測定片を300ｍｍ/分で引っ張り、長さ15ｍｍに達した時を伸度30％時の荷重値。長さ25ｍｍに達した時を伸度50％の荷重値とした。
伸度（％）＝（伸長時の長さ−自然長）/自然長×１００
【００３２】
前述したように、一対の伸縮性パネル部８，８それぞれの先端部の肌当接面側の面には、図２に示すように、パネル止着部８１が設けられている。パネル止着部８１は、縦長矩形形状を有しており、その長手方向を先端部の端部と平行にして配されている。パネル止着部８１は、面ファスナのオス材から形成されている。前身頃部Ａの非肌当接面に配されている外包材１０には、面ファスナのメス材からなるターゲット部１２が配されており、おむつ着用時には、パネル止着部８１が、図２に示すように、前身頃部Ａの下半部Ａ１において該ターゲット部１２と接合される。また、おむつ使用前までは、パネル止着部８１は、伸縮性パネル部８の不織布の部分に折り返されて固定されている。
【００３３】
更に、本実施形態のおむつ１において、一対の伸縮性パネル部８，８それぞれには、図２に示すように、前身頃部Ａの上半部Ａ２と止着するための補助パネル止着部８３が設けられている。補助パネル止着部８３は、縦長矩形形状を有しており、上縁部８４の屈曲している部分に、斜め外方に向って接合されている。補助パネル止着部８３の肌当接面側の面には、図３に示すように、面ファスナのオス材８３Ａが設けられている。おむつ着用時には、補助パネル止着部８３が、図２に示すように、前身頃部Ａの上半部Ａ２において外包材１０に配されている一対の補助ターゲット部１２'（図示せず）と接合されることにより、前身頃部Ａが、前側にめくれないようになされる。
また、おむつ使用前までは、補助パネル止着部８３は、伸縮性パネル部８の不織布の部分に折り返されて固定されている。
【００３４】
おむつ１における前身頃部Ａの下半部Ａ１には、上述のようにパネル止着部８１を止着するための一対のターゲット部１２，１２が設けられている。一対のターゲット部１２，１２それぞれは、略矩形形状であり、長辺は３０〜５０ｍｍが好ましく、３５〜４５ｍｍがより好ましく、短辺は２５〜４５ｍｍが好ましく、３０〜４０ｍｍがより好ましく、面積は９００〜２０００ｍｍ2が好ましく、１２００〜１７００ｍｍ2がより好ましい。
【００３５】
ターゲット部１２の中心位置は、幅方向の位置が、おむつ全長を２等分する長手方向中心位置でのおむつの幅を１００としたときに当該長手方向中心位置におけるおむつ側部を基準とする長手方向に引かれる線から１５〜３０、好ましくは２０〜２５の位置であり、長手方向の位置が、おむつ全長を１００としたときにおむつ前端部から２０〜４０、好ましくは２５〜３５の位置である。
【００３６】
前記長辺の延長線と長手方向軸線との内角は、０〜３０度、好ましくは１０〜２０度である。この位置に位置することにより、おむつ１の装着時において、伸縮パネル部８，８が、腹部の膨張部分を下から支えるように、膨張部分の下側へあたる様にして、領域の両端部側の領域内に位置するようになっている。また、一対のターゲット部１２，１２それぞれは、おむつ長手方向においては、図１に示すように、前身頃部Ａにおけるレッグギャザー形成用の弾性部材７１の端部近傍を覆うように配されている。
【００３７】
また一対の補助ターゲット部１２'、１２'それぞれは、略矩形形状であり、各辺の長さは２０〜３０ｍｍ、面積は５５０〜７５０ｍｍ2であることが好ましい。補助ターゲット部１２'の中心位置は、幅方向の位置がおむつ全長を２等分する長手方向中心位置でのおむつの幅を１００としたときに当該長手方向中心位置におけるおむつ側部を基準とする長手方向に引かれる線から３０〜５０、好ましくは３５〜４５の位置であり、長手方向の位置が、おむつ全長を１００としたときにおむつ前端部から５〜１５、好ましくは８〜１２の位置である。この位置に位置することにより、おむつ１の装着時において、補助パネル止着部８３が、腹部の膨張部分の上側に固定されるようになっている。
【００３８】
本実施形態において、一対のターゲット部１２，１２、一対の補助ターゲット部１２'、１２'は、前身頃部Ａの他の部分とは異なる色に着色されており、おむつ着用時に、パネル止着部８１を固定するべき位置が識別し易くなされている。
【００３９】
本実施形態のおむつ１について、更に説明すると、吸収性本体５における長手方向の両側部に沿って、一対のレッグフラップ７，７が設けられている。レッグフラップ７は、その自由端近傍に伸長状態で固定されたレッグギャザー形成用の弾性部材７１を備えている。
【００４０】
また、吸収体４の長手方向の両側部に沿って、弾性部材６１、６１を有する一対の防漏カフ６、６が設けられており、一対の防漏カフ６、６は、弾性部材６１及びレッグギャザー形成用の弾性部材７１それぞれを伸張させておむつ１を展開させた状態において、図１に示すように、それぞれ基端側がおむつ幅方向内方に折られ、先端側が外方に折り返されるように、防漏カフ６の前後端が固定されている。
【００４１】
また、前身頃部Ａの長手方向の両側部には、不織布からなる一対のサイドパネル部１３，１３が設けられている。サイドパネル部１３は、おむつ着用時に、伸縮性パネル部８に覆われた状態で、着用者の胴側部に装着される部分である。
【００４２】
伸縮性パネル部８の形成材料である伸縮性を有する樹脂フィルム及び不織布としては、従来から公知の各種材料を用いることができる。特に、伸縮性パネル部８としては、ポリスチレン、ポリイソプレン又はポリブダジエンのブロック共重合体、エチレンの共重合体、天然ゴム、ウレタン及び、これらの混合／コエクストルージョン等の単一層の織布、不織弾性材料又は伸縮性材料により形成されたもの、又は伸縮性材料のフィルム、あるいは伸縮性材料の複合体を用いることができる。更には、全ての方向に弾性があり、通気性があり、蒸気透過性液不透過性であるようなストレッチボンディングされた積層材を用いることもできる。
【００４３】
前記積層材は、伸縮性の材料、たとえばブタジエン、イソプレン、スチレン、アクリル酸エチルーエチレン若しくはその混合物等のブロック又はグラフト共重合体のメルトブロー物又はフィルムが望ましく、又、ウレタンのスパンボンディングされた不織布でもよいが、弾性又は伸縮性層をある伸びまで伸張させ、伸張された弾性層上に、伸張されていない層を置き、これらの層を合せてボンディングし、弾性層がその他の層をギャザリングするように層を弛緩させることによって作られるものが好ましい。また、伸縮性パネル部８としては、伸縮性があり、通気性がある無伸長状態のフィルムに、縦方向にカーディングされた繊維ウエヴをその縦方向に、該フィルムの上下にヒートシール、超音波シール、接着剤等の接合手段で線状に接合して形成した積層材料を用いることもできる。このタイプの積層材料は、母親又は子供が、使用時に一度横方向に広げることにより線接合されていない部分の繊維ウエヴが破壊され弛緩されてギャザリングするようになるものである。
【００４４】
また、表面シート２、裏面シート３、外包材１０、防漏カフ形成用シート、レッグフラップ形成用シート７０、サイドパネル部１３及び各弾性部材６１，７１としては、従来の吸収性物品に用いられている各種材料を特に制限なく用いることができる。
【００４５】
前述した本実施形態のおむつ１の着用の仕方の一例を、以下に述べる。
まず、おむつ１の後身頃部Ｂを着用者の背側に配し、着用者の股下部を覆うように、前身頃部Ａを腹側に配する。
次に、一対の伸縮性パネル部８を、それぞれの下縁部８２が着用者の側部から腹部下方（下腹部）にかけての脚の付け根のラインに沿うように、伸張し、パネル止着部８１を介して、前身頃部Ａの下半部Ａ１におけるターゲット部１２に固定する。この際、伸縮性パネル部８は、着用者の体型に合わせて、その伸張の程度を調整することができる。
【００４６】
パネル止着部８１が、前身頃部Ａにおけるレッグギャザー形成用の弾性部材７１の端部のおむつ幅方向内方の位置（ターゲット部１２の位置）で固定されると、伸縮性パネル部８の下縁部８２とレッグフラップ７に配されているレッグギャザー形成用の弾性部材７１とから、実質的に一体的な環状の伸縮帯８５が、図２（ａ）及び（ｂ）に示すように、着用者の脚の付け根に沿って形成される。ここで伸縮帯８５とは、少なくとも５ｍｍ幅の領域が伸縮性であることを言い、伸縮性パネル部８の下縁部８２とレッグフラップ７に配されているレッグギャザー形成用の弾性部材７１との間に２ｃｍ以下、好ましくは１ｃｍ以下の隙間が開いていても良いが、連続していることが最も好ましい。
【００４７】
前述したように着用されたおむつ１は、そのウエスト部Ｃが着用中にズレ落ちないようになっている。このズレ落ちない機構を、以下に述べる。
おむつ１は、その着用状態において、図２（ａ）及び（ｂ）に示すように、伸縮帯８５が、括れている脚の付け根のラインに沿って形成されている。そして、前身頃部Ａ及び後身頃部Ｂそれぞれは、一対の伸縮帯８５により、下側から支えられた状態となっている。一対の伸縮帯８５それぞれは、脚の付け根から上下方向へは実質的に移動しないので、該伸縮帯８５により下側から支えられている前身頃部Ａ及び後身頃部Ｂそれぞれも、着用状態が維持され、ウエスト部Ｃは、着用者の腹部上方からズレ落ちることが防止される。
【００４８】
おむつ着用者の脚の付け根の部位について、さらに説明すると、該部位は、おむつ着用者が食事をしたり、姿勢を変えたり、又は立ったり座ったり等の運動をしても、このような身体の動きに対して、一番伸縮を必要とする箇所のみに固定することが出来る、又はわずかにしか変形が生じない部位である。しかも、脚の付け根は、着用者の胴部と大腿部との間に括れた形状を有している。
【００４９】
本実施形態のおむつ１は、伸縮性パネル部８の下縁部８２と弾性部材７１を有するレッグフラップ７とにより形成される環状の伸縮帯８５が、前述した脚の付け根のラインに沿って配されて着用されるため、ウエスト部Ｃは、おむつ着用者の腹部からズレ落ちることが効果的に防止されている。
そのため、前おむつ着用者の腹部上方の臍近傍は、前身頃部Ａの上半部Ａ１により覆われた状態が維持され、着用者の腹部が露出すること防止される。
【００５０】
次に第２及び第３実施形態のおむつ１を、図４〜図６を参照しながら説明する。第２及び第３実施形態について、特に説明しない点については、第１実施形態に関して詳述した説明が適宜適用される。また、図４〜図６において、図１〜図３と同じ部材に同じ符号を付してある。
【００５１】
本発明の好ましい第２実施形態のおむつ１において、前身頃部Ａの長手方向両側部には、図４に示すように、一対の伸縮バンド部９，９が設けられており、一対の伸縮バンド部９，９それぞれは、おむつ幅方向に伸縮性を有し、一対の伸縮バンド部９，９それぞれの先端部には、図５に示すように、後身頃部Ｂに固定されるバンド止着部９１が設けられている。
【００５２】
本実施形態のおむつ１について、更に説明すると、一対の伸縮バンド部９，９は、前身頃部Ａ側の端部１４近傍に設けられている。一対の伸縮性バンド部９，９それぞれは、横長形状を有しており、その長手方向は、おむつ幅方向と一致している。
一対の伸縮バンド部９，９それぞれは、一方向に伸縮性を有する樹脂フィルムを、伸張した状態において、同形状の不織布で挟んで接合して形成された複合部材である。該複合部材は、その伸縮方向をおむつ幅方向と一致させて、前身頃部Ａの長手方向両側部に接合されており、伸縮バンド部９は、その全体におむつ幅方向の伸縮性を有している。
【００５３】
また、一対の伸縮バンド部９，９それぞれの先端部の肌当接面側の面には、図４に示すように、バンド止着部９１が設けられている。バンド止着部９１は、縦長矩形形状を有しており、その長手方向が先端部の端部と平行にして配されている。バンド止着部９１は、面ファスナのオス材から形成されている。後身頃部Ｂの非肌当接面に配されている外包材１０には、面ファスナのメス材が配されており、おむつ着用時には、バンド止着部９１が、図５（ａ）及び（ｂ）に示すように、後身頃部Ｂのウエスト部Ｃにおいて該メス材と接合される。また、おむつ使用前までは、バンド止着部９１は、伸縮バンド部９の不織布の部分に折り返されて固定されている。
【００５４】
本実施形態においては、前実施形態における一対のサイドパネル部の代わりに、前述した一対の伸縮バンド部９，９が設けられている。その他の構成については、前実施形態と同様である。
【００５５】
前述した本実施形態のおむつ１によれば、一対の伸縮バンド部９，９が前身頃部Ａの長手方向両側部に設けられており、おむつ着用時には、前身頃部Ａが着用者の腹側により確実に装着されるようになっている。また、おむつ長手方向の両端部１１，１４それぞれには、先端部に止着部を有する一対の伸縮性パネル部８，８及び一対の伸縮バンド部９，９が設けられているので、おむつ使用後の廃棄の際には、おむつ長手方向の何れの側の端部からも丸めて、パネル止着部８１又はバンド止着部９１により丸めた状態を固定して廃棄することが可能である。
また、前述した第１実施形態と同様の効果が奏される。
【００５６】
本発明の好ましい第３実施形態のおむつ１は、前身頃部Ａの長手方向両側部に、図６に示すように、一対のサイドパネル部１３，１３が設けられており、一対の該サイドパネル部１３，１３それぞれは、少なくとも下縁部１３２に沿った部分に弾性部を有しており、該弾性部は、吸収性本体５の長手方向側縁からおむつ幅方向内方に延出し、吸収体４の長手方向側部と重なっている。
本実施形態において、一対のサイドパネル部１３，１３それぞれは、２枚の不織布が積層されて形成されている。前記弾性部は、２枚の前記不織布の間に、弾性部材１３１が伸張状態で接合されて形成されている。
【００５７】
本実施形態のおむつ１について、更に説明すると、一対のサイドパネル部１３，１３それぞれの下縁部１３２は、図６に示すように、おむつ幅方向外方に向うにつれて、後身頃部Ｂから前身頃部Ａ側の端部１４に近づく形状を有しており、その下縁は、略直線状である。
おむつ展開状態において、一対の該サイドパネル部それぞれの下縁部１３２には、弾性部材１３１が伸張状態で配されており、弾性部材１３１は、吸収性本体５の長手方向側縁からおむつ幅方向内方に延出し、吸収体４の長手方向側部と伸張状態で重なっている。
【００５８】
弾性部材１３１は、下縁部１３２の下縁と略平行に配されている。弾性部材１３１は、図６に示すように、吸収性本体５の長手方向側縁からおむつ幅方向内方に延出し、レッグギャザー形成用の弾性部材７１及び防漏カフの弾性部材６１と交差し且つターゲット部１２とも重なっている。本実施形態において、弾性部材１３１は、裏面シート３と外包材１０との間に位置しており、その伸張状態で両部材と接合されている。また、弾性部材１３１は、吸収体４と裏面シート３との間に位置していて、その伸張状態で裏面シート３と接合されていても良い。更にまた、弾性部材１３１は、外包材１１の非肌当接面側の面に、その伸張状態で接合されていても良い。
【００５９】
本実施形態のおむつ１は、その着用状態において、吸収体４の弾性部材１３１と重なっている部分が、弾性部材１３１の収縮力によって収縮するため、前身頃部Ａの腹部膨張部分を下側から上へ支える効果が高められている。また、弾性部材１３１は、脚の付け根のラインに沿って配されており、伸縮帯８５の一部を形成するので、ウエスト部Ｃが、着用者の腹部上方からズレ落ちることが防止される効果も高められている。
【００６０】
弾性部材１３１が、吸収体４と重なっている部分を弾性部材１３１に沿って測定した長さは、25〜45ｍｍ、特に30〜40ｍｍであることが、前述した効果を奏する観点から好ましい。
【００６１】
本発明の使い捨ておむつは、前述した実施形態に制限されることなく、本発明の趣旨を逸脱しない限り適宜変更が可能である。
例えば、伸縮性パネル部８は、おむつの幅方向及び長手方向それぞれに伸縮性を有していることも好ましい。伸縮性パネル部８が該両方向それぞれに伸縮性を有すると、伸縮性パネル部８は、おむつ着用時に、斜め下方に更に引き延ばし易くなる。
【００６２】
また、各実施形態において、伸縮性パネル部８は、伸縮性を有する樹脂フィルムが不織布に挟まれて形成されていたが、伸縮性パネル部８は、複数の糸状の弾性部材がおむつ幅方向に伸張した状態において、２枚のシート材の間に挟まれて接合されている複合部材から形成されていても良い。
また、上縁部８４の長さＬ３の部分と長さＬ４の部分との境界（交点）近傍において、各実施形態ではそれぞれの部分は直線であったが、なめらかな曲線を描く形状であっても良い。
【００６３】
更に、補助パネル止着部８３は、図７（ａ）に示すように、おむつ１の幅方向に止まるように設けても良いし、又は、図７（ｂ）に示すように、伸縮性パネル部８の肌当接面側の面に設けても良い。
【００６４】
本発明の使い捨ておむつは、幼児用の使い捨ておむつであっても良いが、成人用の使い捨ておむつであっても良い。
前述した一の実施形態における説明省略部分及び一の実施形態のみが有する部分は、すべて適宜相互に利用できる。
【実施例】
【００６５】
以下、本発明の使い捨ておむつについて、実施例を用いて更に説明する。ただし、本発明の範囲はかかる実施例に制限されるものではない。
【００６６】
[実施例１]
パネル部全体におむつ幅方向に伸縮性を有する伸縮性パネル部８を用いて、図１に示すおむつ１を作製し、実施例１とした。伸縮性パネル部８の形成材料としては、伸縮性を有する樹脂フィルムとしてスチレン系ゴムを用い、不織布としてPPヒートロールを用いた。伸縮性パネル部８は、不織布として弾性フィルム（３層不織布/フィルム/不織布に）積層した構成のものを用いた。伸度30％時の荷重値は、1.2Ｎ/25ｍｍであり、伸度50％時の荷重値は、2.0Ｎ/25ｍｍであった。伸縮性パネル部８の寸法は、Ｌ３は50ｍ、L4は45ｍｍ。Ｌ５は120ｍｍのものを用いた。また、長さＬ２の部分を伸縮性パネル部８内方に延長した直線と、下縁部８２と後身頃部Ｂの長手方向側部との交点から内角βで伸縮性パネル部８内方に延ばした直線とが交わってなす内角γは、65度のものを用いた。
【００６７】
[実施例２]
実施例１における伸縮パネル部と同形である非伸縮性の不織布（坪量15g/ｍ2のPPスパンボンド）を用い、下縁部８２に沿った部分に、一本の糸状の弾性部材を伸張した状態で不織布で挟むようにして接合した。この時、弾性部材は長さを1.8倍に伸張した状態で、両端を接着材で固定した。伸縮性パネル部８を用いる以外は、実施例１と同様にして、実施例２のおむつを作製した。また、比較例として用いる２種を次に示す。
【００６８】
[比較例１]
実施例２における伸縮パネル部を伸びない素材とし、実施例２において下縁部８２に沿った部分に接合した弾性部材を胴周り方向に、パネル部に糸状の弾性部材を伸ばした状態で接合し、お腹で止めるタイプのおむつを作製して、比較例１とした。
[比較例２]
現行メリーズタイプのように、伸縮パネル部を有する代わりにわき腹部を中心に、胴周り方向に数本の糸状の弾性部材を長さ40ｍｍ程度張った状態のおむつを作製して、比較例２とした。
【００６９】
前述したように作製して得られたおむつを8〜16ヶ月の幼児3人に装着させ、その時の装着状態について、以下の基準で母親に評価を行わせた。その結果を表１に示す。
装着60分後のおむつのズレ落ちに関して、○：ズレほとんど無し、△：ややずれあり、×：ずれありのいずれかで判断してもらった。
【００７０】
【表１】
0004509023.tif 000002
【００７１】
実施例１及び実施例２は、下縁部８２に沿った部分に伸縮性が形成されているので、パネル止着部８１を前身頃部Ａの前記腹部膨張部分に固定することで、張力を掛けた状態で下縁部８２を脚の付け根の凹みライン（脚のそけい部）へ沿わせ且つ脚を締め付けることができる。そのことにより上述のおむつのずれ落ちがほとんど無く、ウエスト部Ｃのズレ落ち量も少ない。
比較例１及び比較例２は、下縁部８２に伸縮性が形成されていないので、上述したおむつのずれ落ちが発生する。
【図面の簡単な説明】
【００７２】
【図１】図１は、本発明の第１実施形態としての使い捨ておむつを各部の弾性部材を伸張させて平面状に拡げた状態を示す平面図である。
【図２】図２（ａ）及び（ｂ）は、図１のおむつの着用状態を示す斜視図であり、（ａ）は斜め前方から見た場合であり、（ｂ）は横方向から見た場合である。
【図３】図３は、図１のおむつにおける伸縮性パネル部を拡大して示す平面図である。
【図４】図４は、本発明の第２実施形態としての使い捨ておむつを各部の弾性部材を伸張させて平面状に拡げた状態を示す平面図である。
【図５】図５（ａ）及び（ｂ）は、図５のおむつの着用状態を示す斜視図であり、（ａ）は斜め前方から見た場合であり、（ｂ）は横方向から見た場合である。
【図６】図６は、本発明の第３実施形態としての使い捨ておむつを各部の弾性部材を伸張させて平面状に拡げた状態を示す平面図である。
【図７】図７（ａ）及び（ｂ）は、本発明の他の実施形態のおむつを示す斜視図であり、それぞれ、補助パネル止着部が異なった形態を有している。
【符号の説明】
【００７３】
１  使い捨ておむつ
１１  後身頃部側の端部
１２  ターゲット部
１２´  補助ターゲット部
１３  サイドパネル部
１４  前身頃部側の端部
２  表面シート
３  裏面シート
４  吸収体
５  吸収性本体
６  防漏カフ
６１  防漏カフ形成用の弾性部材
７  レッグフラップ
７１  レッグギャザー形成用の弾性部材
８  伸縮性パネル部
８１  パネル止着部
８２  下縁部
８２Ａ  湾曲の頂部
８３  補助パネル止着部
８４  上縁部
８５  伸縮帯
９  伸縮性バンド部
９１  バンド止着部
１０  外包材
Ａ  前身頃部
Ａ１  下半部
Ａ２  上半部
Ｂ  後身頃部
Ｃ  ウエスト部
【図１】
0004509023.tif 000003
【図２】
0004509023.tif 000004
【図３】
0004509023.tif 000005
【図４】
0004509023.tif 000006
【図５】
0004509023.tif 000007
【図６】
0004509023.tif 000008
【図７】
0004509023.tif 000009